(57)【要約】【課題】ドラムに巻付けられた長尺物に対してよりまんべんなく十分な水を供給できるようにすることを目的とする。【解決手段】水架橋長尺物の製造方法は、(a)ドラム２０に長尺物（例えば電線１０）を巻付ける工程と、(b)前記工程(a)の途中で、前記電線１０に水を付着させる工程と、(c)前記ドラム２０に巻付けられた前記電線を水架橋する工程と、を備える。工程(b)は、好ましくは、前記ドラム２０に巻付けられる電線１０に対して、連続的に水を付着させる工程である。工程(b)は、好ましくは、前記電線１０のうちドラム２０に巻付け済の部分に対して水を付着させる工程である。【選択図】図３
2014159113.tif 000002
【特許請求の範囲】
【請求項１】
(a)ドラムに長尺物を巻付ける工程と、
(b)前記工程(a)の途中で、前記長尺物に水を付着させる工程と、
(c)前記ドラムに巻付けられた前記長尺物を水架橋する工程と、
を備える水架橋長尺物の製造方法。
【請求項２】
請求項１記載の水架橋長尺物の製造方法であって、
前記工程(b)は、前記ドラムに巻付けられる長尺物に対して、連続的に水を付着させる工程である、水架橋長尺物の製造方法。
【請求項３】
請求項１又は請求項２記載の水架橋長尺物の製造方法であって、
前記工程(b)は、前記長尺物のうち前記ドラムに巻付け済の部分に対して水を付着させる工程である、水架橋長尺物の製造方法。
【発明の詳細な説明】
【技術分野】
【０００１】
この発明は、シラン架橋電線等、水架橋される長尺物の製造技術に関する。
【背景技術】
【０００２】
特許文献１は、水架橋可能なシラン変性ポリオレフィン組成物の押出成形品を水架橋する技術を開示している。特許文献１では、押出成形品は、ドラムに巻取られた状態で、温水槽中で水架橋される。ドラムは、芯となる中空状の円柱と、円柱の両端に取付けられた円板とを有しており、これら円柱と円板とに貫通口が形成されている。
【先行技術文献】
【特許文献】
【０００３】
【特許文献１】特開平７−３２９０７４号公報
【発明の概要】
【発明が解決しようとする課題】
【０００４】
しかしながら、特許文献１に開示のドラムでは、押出成形品がドラムに巻付けられた状態で、その押出成形品の内部に対しては貫通口を通じて水が供給されるに過ぎない。このため、ドラムに巻付けられた押出成形品の内部に対する水の供給は、部分的となり、押出成形品、特に、密に巻かれた押出成形品の内部に対してまんべんなく十分な水を供給することは難しい。
【０００５】
そこで、本発明は、ドラムに巻付けられた長尺物に対してよりまんべんなく十分な水を供給できるようにすることを目的とする。
【課題を解決するための手段】
【０００６】
上記課題を解決するため、第１の態様に係る水架橋長尺物の製造方法は、(a)ドラムに長尺物を巻付ける工程と、(b)前記工程(a)の途中で、前記長尺物に水を付着させる工程と、(c)前記ドラムに巻付けられた前記長尺物を水架橋する工程と、を備える。
【０００７】
第２の態様は、第１の態様に係る水架橋長尺物の製造方法であって、前記工程(b)は、前記ドラムに巻付けられる長尺物に対して、連続的に水を付着させる工程とされている。
【０００８】
第３の態様は、第１又は第２の態様に係る水架橋長尺物の製造方法であって、前記工程(b)は、前記長尺物のうち前記ドラムに巻付け済の部分に対して水を付着させる工程とされている。
【発明の効果】
【０００９】
第１の態様によると、ドラムに長尺物を巻付ける途中で、長尺物に水が付着しているため、長尺物がドラムに巻付けられた状態で、その内部の長尺物にも水が付着している。このため、ドラムに巻付けられた長尺物に対してよりまんべんなく十分な水を供給できる。
【００１０】
第２の態様によると、前記ドラムに巻付けられる長尺物に対して連続的に水が付着されるため、ドラムに巻付けられた長尺物に対してよりまんべんなく十分な水を供給できる。
【００１１】
第３の態様によると、前記長尺物のうち前記ドラムに巻付け済の部分に対して水を付着させるため、長尺物に水が付着した状態が維持され易く、ドラムに巻付けられた長尺物に対してより確実にまんべんなく十分な水を供給できる。
【図面の簡単な説明】
【００１２】
【図１】電線を示す概略斜視図である。
【図２】ドラムを示す概略斜視図である。
【図３】ドラムに電線を巻付けつつ水を供給する工程例を示す説明図である。
【図４】ドラムに巻付けられた電線中の水の存在態様例を示す説明図である。
【図５】水架橋工程例を示す説明図である。
【図６】ドラムに電線を巻付けつつ水を供給する変形例を示す説明図である。
【図７】ドラムに電線を巻付けつつ水を供給する他の変形例を示す説明図である。
【図８】ドラムに電線を巻付けつつ水を供給するさらに他の変形例を示す説明図である。
【図９】同上の変形例における電線ガイドとノズルとの動作関係を示す説明図である。
【発明を実施するための形態】
【００１３】
以下、実施形態に係る水架橋長尺物の製造方法について説明する。
【００１４】
＜製造対象＞
製造対象である長尺物の一例である電線について説明する。図１は電線１０を示す概略斜視図である。電線１０は、芯線１２と、被覆部１４とを備える。なお、製造対象としては、電線の他、チューブ、樹脂の紐状部材等であってもよい。
【００１５】
芯線１２は、銅、銅合金、アルミニウム、アルミニウム合金等の金属によって構成される線状部材である。芯線１２は、単線によって構成されていてもよいし、複数の素線を撚り合わせることによって構成されていてもよい。
【００１６】
被覆部１４は、芯線１２の外周囲を覆う樹脂であり、水架橋（ここでは、シラン架橋）された樹脂によって構成されている。具体的には、芯線１２の外周囲にシラン架橋可能な溶融樹脂等が押出被覆される。シラン架橋可能な樹脂としては、ポリオレフィン等のベース樹脂と、有機シラン等のシラン化合物と、その他の添加剤とを含む樹脂を用いることができる。
【００１７】
上記シラン架橋可能な樹脂は、水と接触することによって、シラン架橋反応を生じ、シラン架橋樹脂となる。この際、常温よりも高い温度雰囲気下では、シラン架橋が促進される。
【００１８】
上記のように芯線１２に押出被覆された、シラン架橋可能な樹脂を、シラン架橋させることで、シラン架橋された樹脂によって構成された被覆部１４が形成される。
【００１９】
なお、電線１０に被複数の被覆層が形成され、その一部（特に、最外層のもの）がシラン架橋樹脂であり、残部についてはシラン架橋樹脂でなくてもよい。
【００２０】
＜製造方法＞
上記電線１０の製造方法について説明する。
【００２１】
まず、長尺物としての電線１０（架橋前の被覆部を有するもの）を、図２に示すようなドラム２０に巻付ける。
【００２２】
ドラム２０としては、次の構成のものを用いることができる。すなわち、ドラム２０は、巻芯部２４と一対の張出部２６とを備える。
【００２３】
巻芯部２４は、その外周に電線１０を巻付け可能に構成されている。ここでは、巻芯部２４は、円柱状に形成されている。巻芯部２４の内部は、中空であってもよいし（つまり、円筒形状）、埋っていてもよい。ここでは、巻芯部２４は、円筒状に形成されている。また、巻芯部２４の内周部には、回転止凹部２４ａが形成されている。そして、後述する回転軸部３４を挿通する際に、当該回転軸部３４に形成された突部が当該回転止凹部２４ａに嵌り込む。これにより、回転軸部３４とドラム２０との相対的な回転止が図られる。巻芯部は、複数の棒状部材を、円筒を描くように並べて配設固定した構成であってもよい。また、巻芯部は、角柱状等に形成されていてもよい。
【００２４】
一対の張出部２６は、巻芯部２４の両端部にその外周囲に向けて突出するように取付けられており、巻芯部２４に巻付けられた電線１０を、巻芯部２４の両端側から抑え、もって、電線１０が巻芯部２４の端部外方に崩れることを抑制する役割を果す。ここでは、張出部２６は、巻芯部２４の直径よりも大きい直径の円板状に形成されており、巻芯部２４の中心軸と張出部２６の中心とを一致させた状態で、巻芯部２４の端部に取付固定されている。張出部２６は、角板状等であってもよい。
【００２５】
また、張出部２６には、その両主面を貫く貫通孔２７が形成されている。この貫通孔２７により、巻芯部２４に巻付けられた電線１０のうち張出部２６に接触する部分に対しても、外部から水が供給されるようになっている。もっとも、この貫通孔２７は、必須ではなく、省略されてもよい。
【００２６】
上記ドラム２０は、ステンレス等の金属、木、樹脂等により構成される。耐熱性、耐水性に優れるという点では、ドラム２０はステンレスによって構成されていることが好ましい。
【００２７】
ドラム２０に対する電線１０の巻付は、例えば、図３に示すような巻付装置３０を用いて行うことができる。
【００２８】
すなわち、巻付装置３０は、ベース台３１と、一対の支軸部３２と、回転軸部３４と、回転駆動部３６とを備える。
【００２９】
ベース台３１上に一対の支軸部３２が立設されている。一対の支軸部３２の間には、ドラム２０を配設可能な間隔が設けられている。
【００３０】
回転軸部３４は、一対の支軸部３２に回転可能に支持されている。回転軸部３４は、ドラム２０の巻芯部２４内に挿入され、当該ドラム２０に対して相対回転不能な状態で当該ドラム２０を回転可能に支持する。
【００３１】
一方の支軸部３２の外側部分に回転駆動部３６が設けられている。回転駆動部３６は、モータ等を備えており、当該モータの回転駆動力が回転軸部３４に伝達される。モータの回転軸と回転軸部３４とは直接連結されていてもよいし、ギヤ、環状チェーン、伝達ベルト等を介して連結されていてもよい。また、回転駆動部がドラムを回転させる構成は上記例には限られない。例えば、回転駆動部によって回転可能な回転体を、ドラムの張出部の外周部に押付け、回転体の回転駆動力を、張出部を介してドラムに伝達して当該ドラムを回転させるようにしてもよい。
【００３２】
なお、回転軸部３４をドラム２０の巻芯部２４内に挿入可能な構成とするために、例えば、他方の支軸部３２を可倒式とするとよい。また、回転軸部を、１つの支軸部によって片持ち状に支持し、回転軸部の自由端をドラムの巻芯部に挿入するようにしてもよい。
【００３３】
そして、上記回転軸部３４をドラム２０の巻芯部２４内に挿入するようにしてドラム２０を巻付装置３０にセットし、電線１０の一端部をドラム２０の巻芯部２４の外周部に対して相対回転不能に取付ける。この状態で、回転駆動部３６により回転軸部３４及びドラム２０を回転させると、電線１０が巻芯部２４の周りに巻かれていく。なお、電線１０は、押出被覆後であって水架橋前のものを別のドラムに巻回収容しておいたものでもよいし、押出被覆装置等から直接供給されるものであってもよい。
【００３４】
上記のように、ドラム２０に電線１０を巻付けていく途中で、電線１０に水を付着する工程が実施される。ここでは、ドラム２０に巻付けられる電線１０に対して連続的に水を付着させるようにしている。また、電線１０のうちドラム２０に巻付済の部分に対して水を付着させるようにしている。
【００３５】
より具体的には、巻付装置３０にセットされたドラム２０の巻芯部２４の周りに外部から水を掛けることで、巻付途中の電線１０に水が付着される。ここでは、ホース４０の一端部の供給口が、巻付装置３０にセットされたドラム２０の巻芯部２４に向けられた姿勢で、巻芯部２４の側方、斜め上方又は上方に配設されている。ホース４０の他端部は、水供給源に接続されている。
【００３６】
そして、ドラム２０を連続的に回転させつつ、ホース４０の供給口から水を連続的に供給する。すると、連続的に供給される電線１０が、ドラム２０に順次巻付けられていく。そして、電線１０がドラム２０の巻芯部２４に巻付けられると、巻芯部２４に巻付けられた電線１０の外周部分に水が掛けられる。これにより、巻芯部２４に巻付けられた電線１０の最外周部分を中心として水が付着される。さらに、ドラム２０が回転すると、巻付済の電線１０の外周にさらに電線１０が巻付けられていく。後から巻付けられた電線１０に対しても上記と同様にしてホース４０からの水が供給され、水が付着する。このようにして、巻芯部２４に巻付済の電線１０に対して連続的に水を付着させることができる。
【００３７】
なお、水は、巻芯部２４に巻付けられた電線１０に対して各巻層毎にまんべんなく供給されることが好ましい。
【００３８】
ドラム２０に対する電線１０の巻付が終了すると、ホース４０からの水の供給が停止される。ドラム２０に対する電線１０の巻付が終了した状態において、ドラム２０に巻付けられた電線１０の巻き始めと巻き終りの中間部分を観察すると、図４に示すように、密に集合するように巻付けられた電線１０の表面及び電線１０の隙間のいずれかの箇所に、水Ｗが存在している状態となる。
【００３９】
次に、ドラム２０に巻付けられた電線１０を水架橋（シラン架橋）する。この工程は、例えば、図５に示すように、封止された筺６０内に、電線１０が巻付けられたドラム２０を収容し、当該筺６０内に、水蒸気供給部６２等から高温の水蒸気を供給することにより行うことができる。
【００４０】
この筺６０内では、電線１０のうちドラム２０に巻付けられた外周側領域に対しては、当該筺６０内に導入された水蒸気によって十分な水が供給される。また、電線１０のうちドラム２０に巻付けられた内部領域に対しては、電線１０の表面又は電線１０の隙間に存在する水が十分かつまんべんなく供給される。さらに、ドラム２０に巻付けられた電線１０のうち張出部２６に近い領域に対しては、上記貫通孔２７を通じて、水蒸気による水が供給される。このため、ドラム２０に巻付けられた電線１０の全体にたいしてよりまんべんなく十分な量の水を供給することができる。
【００４１】
また、筺６０内では、当該筺６０内に導入された水蒸気によって、電線１０が加熱されるため、シラン架橋反応が促進される。特に、筺６０内を１００度以上に保つことで、電線１０の表面又は電線１０の隙間に存在する水の蒸発が促進され、電線１０の全体によりまんべんなく十分な水を供給することができる。
【００４２】
結果、ドラム２０に巻付けられた電線１０の全体の架橋度をよりまんべんなく高くすることができ、高品質の電線を安定して製造することができる。
【００４３】
以上のように構成された電線１０の製造方法によると、ドラム２０に電線１０を巻付ける途中で、電線１０に水が付着しているため、電線１０がドラム２０に巻付けられた状態で、その内部の電線１０にも水が付着している。このため、ドラム２０に巻付けられた電線１０に対してよりまんべんなく十分な水を供給できる。結果、ドラム２０に巻付けられた電線１０の全体の架橋度をよりまんべんなく高くすることができ、高品質の電線を安定して製造することができる。
【００４４】
また、ドラム２０に巻付けられた電線１０の内部まで、十分な水を供給できるため、ドラム２０に巻付ける電線１０の量を多くしても、その内部まで十分に架橋反応を促進させることができる。これにより、一度の工程で、より長尺な電線１０を架橋処理することができ、生産性向上を図ることができる。
【００４５】
また、ドラム２０に巻付けられる電線１０に対して連続的に水が付着されるため、ドラム２０に巻付けられた電線１０の内部の全体により確実に水を付着させることができる。これにより、ドラム２０に巻付けられた電線１０に対してよりまんべんなく十分な水を供給できる。
【００４６】
もっとも、ドラム２０に巻付けられる電線１０に対して連続的に水を付着させることは必須ではない。ドラム２０に電線１０を巻付ける途中に、１回だけ水を供給して電線１０に水を付着させてもよいし、また、複数回に分けて水を供給して、電線１０に対して複数箇所で水を付着させるようにしてもよい。これらの場合でも、ドラム２０に巻付けられた電線１０の内部に水を付着させた状態とすることができるからである。
【００４７】
また、電線１０のうちドラム２０の巻芯部２４に巻付済の部分に対して水を付着させるようにしているため、電線１０に付着した水が振り落され難く、電線１０に水が付着した状態が維持され易い。このため、ドラム２０に巻付けられた電線１０に対してより確実にまんべんなく十分な水を供給できる。
【００４８】
もっとも、図６に示すように、電線１０のうちドラム２０に巻付けられる前の部分に、ホース４０からの水をかける等して水を付着させるようにしてもよい。この場合でも、電線１０に付着した水の少なくとも一部が当該電線１０に付着したままの状態で、当該電線１０がドラム２０に巻付けられるため、ドラム２０に巻付けられた電線１０に対してよりまんべんなく十分な水を供給できる。
【００４９】
＜その他の変形例＞
図７に示す変形例では、図３に示す例において、ホース４０の先端部に霧吹ノズル４２を設けた例を示している。霧吹ノズル４２の噴霧範囲は、巻芯部２４の長手方向全体に亘って、当該巻芯部２４に巻付けられた電線１０に対して水を供給可能な範囲に設定されていることが好ましい。
【００５０】
この変形例によると、過剰な水の供給を抑制することにより、周囲の濡れを抑制することができる。
【００５１】
図８に示す変形例に係る巻付装置１３０では、図３に示す例において、電線１０をドラム２０に導く部分に平行巻機構部４６が設けられている。平行巻機構部４６は、電線ガイド４７と、電線ガイド移動機構部４８とを備える。電線ガイド４７は、電線１０の走行経路をガイド可能に構成されており、例えば、電線１０を挿通可能な環状部材又はＵ字状の部材によって構成されている。また、電線ガイド移動機構部４８は、リニアモータ等によって構成されており、上記電線ガイド４７を、巻芯部２４の軸方向に沿った方向において一対の張出部２６間の区間で往復駆動するように構成されている。
【００５２】
そして、ドラム２０を回転させつつ、電線１０を電線ガイド４７に通して当該電線ガイド４７を往復駆動させると、電線１０が巻芯部２４の軸方向に沿って往復ガイドされつつ、巻芯部２４に巻かれていく。これにより、電線１０が巻芯部２４に対して整列された状態で平行巻きされるようになる。
【００５３】
また、この巻付装置１３０には、水供給用のノズル４４と、ノズル移動機構部４５とが設けられている。ノズル４４は、ホースを通じて水供給源に接続され、その先端部から水を供給可能に構成されている。ノズル４４は、巻芯部２４を向く姿勢とされている。また、ノズル４４からの水の供給範囲は、図３に示す場合よりも限定されており、このノズル４４からの水は、巻芯部２４に巻付けられた電線１０のうち巻芯部２４の軸方向の一部の範囲のものに対して供給されるようになっている。ノズル移動機構部４５は、リニアモータ等によって構成されており、上記ノズル４４を、巻芯部２４の軸方向に沿った方向において一対の張出部２６間の区間で往復駆動するように構成されている。
【００５４】
図９は電線ガイド４７の移動動作と、ノズル４４の移動動作との関係を示す図である。すなわち、ノズル移動機構部４５は、ノズル４４が電線ガイド４７を追って移動するように、ノズル４４を移動させる。これにより、電線１０がドラム２０の巻芯部２４に巻付けられると、ノズル４４は電線１０のうち巻芯部２４に巻付けられた後の部分に水を掛けていく。これにより、ドラム２０に巻付けられた電線１０に対してより確実に水を付着させることができる。また、電線１０に対して部分的に水を供給していくため、過剰な水の供給が抑制され、周囲の濡れを抑制することができる。
【００５５】
なお、上記実施形態及び各変形例で説明した各構成は、相互に矛盾しない限り適宜組合わせることができる。
【００５６】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００５７】
１０  電線
１４  被覆部
２０  ドラム
３０、１３０  巻付装置
４０  ホース
４２  霧吹ノズル
４４  ノズル
６０  筺
６２  水蒸気供給部
【図１】
2014159113.tif 000003
【図２】
2014159113.tif 000004
【図３】
2014159113.tif 000005
【図４】
2014159113.tif 000006
【図５】
2014159113.tif 000007
【図６】
2014159113.tif 000008
【図７】
2014159113.tif 000009
【図８】
2014159113.tif 000010
【図９】
2014159113.tif 000011